(57)【要約】【課題】オープンシールド工法や開削工法に比べて少ない労力で地表面の沈下の影響を受けなくする。【解決手段】地表面掘削工程で、構築する地下構造物２２の上方の地表面１に、地下構造物２２の上面２よりも浅い深さにその底面８が達する浅い穴７が掘削されるため、穴７を掘削する労力が低減される。地下構造物構築工程で、穴７の底面８の下方の地中に、穴７の底面８よりも深い深さに地下構造物２２の上面２が位置するように、地下構造物２２が構築され、埋戻工程で、穴７の領域７ａの内で地下構造物２２を構築された領域２２ａが埋め戻されるため、地下構造物２２の構築に伴い、穴７の底面８が沈下したとしても、埋戻工程で埋め戻され、地表面１の沈下の影響を受けない。埋戻工程では、浅い穴７を埋め戻すため、穴を埋め戻す労力が低減される。そのため、オープンシールド工法や開削工法に比べて少ない労力で地表面１の沈下の影響を受けなくすることができる。【選択図】図５
2018035623.tif 000002
【特許請求の範囲】
【請求項１】
構築する地下構造物の上方の地表面に、前記地表面よりも深く且つ構築する前記地下構造物の上面よりも浅い深さにその底面が達する穴を掘削する地表面掘削工程と、
前記地表面掘削工程で掘削された前記穴の前記底面の下方の地中に、前記穴の前記底面よりも深い深さに前記地下構造物の前記上面が位置するように、前記地下構造物を構築する地下構造物構築工程と、
前記地表面掘削工程で掘削された前記穴の領域の内で、前記地下構造物構築工程で前記穴の前記底面の下方の地中に前記地下構造物を構築された前記領域を埋め戻す埋戻工程と、
を備えた地下構造物構築方法。
【請求項２】
前記地下構造物構築工程では、前記地表面掘削工程で掘削された前記穴の前記底面の下方の地中に、矩形状の横断面を有する坑道を掘進することにより、前記地下構造物を構築する、請求項１に記載の地下構造物構築方法。
【請求項３】
前記地下構造物構築工程では、前記坑道をシールドマシンにより掘進し、
前記シールドマシンの前端のカッタービットによって、矩形状の横断面を有する前記坑道を掘削し、
前記カッタービットの後方に連結された前記シールドマシンのスキンプレートによって、前記カッタービットにより掘削された前記坑道の壁面を矩形状に保持し、
前記スキンプレート内に配置された前記シールドマシンのエレクタによって、前記カッタービットにより掘削された前記坑道の前記壁面に矩形状の横断面をなすようにプレキャスト部材を設置する、請求項２に記載の地下構造物構築方法。
【請求項４】
前記地下構造物構築工程の前に、前記地表面掘削工程で掘削される前記穴の前記領域の地盤を改良する地盤改良工程をさらに備えた、請求項３に記載の地下構造物構築方法。
【請求項５】
前記地盤改良工程では、前記地表面掘削工程で掘削される前記穴の前記領域であって、前記地下構造物構築工程で構築される前記地下構造物の下面の下方の深さの地盤を改良する、請求項４に記載の地下構造物構築方法。
【請求項６】
前記地盤改良工程では、前記地表面掘削工程で掘削される前記穴の領域を挟み、その下端が不透水層に達するように一対の土留壁を構築し、
前記地下構造物構築工程では、前記地盤改良工程で構築された前記土留壁の前記下端よりも浅い深さに前記地下構造物の下面が位置するように、前記地下構造物を構築する、請求項５に記載の地下構造物構築方法。
【請求項７】
前記地下構造物構築工程では、前記坑道を開放型のシールドマシンにより掘進する、請求項６に記載の地下構造物構築方法。
【請求項８】
前記地表面掘削工程で掘削され、前記埋戻工程で埋め戻される前の前記穴を覆う覆工板を設置する覆工板設置工程と、
前記埋戻工程の前に、前記覆工板設置工程で設置された前記覆工板を撤去する覆工板撤去工程と、
をさらに備えた、請求項１〜７のいずれか１項に記載の地下構造物構築方法。
【発明の詳細な説明】
【技術分野】
【０００１】
本発明は、地下構造物構築方法に関する。
【背景技術】
【０００２】
地中に地下道、地下水道、トンネル、地下室等の地下構造物を構築する方法が提案されている。例えば、特許文献１には、地表面より地中に一対の土留壁を形成し、一対の土留壁の間にシールド掘削機を搬入又は搬出するための立坑を構築し、構築した立坑に搬入したシールドマシンにより矩形状の横断面を有する坑道を掘進することによって、地下構造物を構築する方法が開示されている。
【先行技術文献】
【特許文献】
【０００３】
【特許文献１】特開平１１‐１５２９８８号公報
【発明の概要】
【発明が解決しようとする課題】
【０００４】
ところで、シールドマシンにより坑道を掘進することによって地下構造物を構築する場合には、地表面が沈下し易いという問題がある。構築する地下構造物に達する深い穴を掘削し、地下構造物の構築後に掘削した穴を埋め戻すオープンシールド工法や開削工法では、地下構造物の構築に伴う地表面の沈下の影響を低減することができるが、深い穴を掘削する労力や掘削した深い穴を埋め戻す労力が大きいという欠点がある。
【０００５】
そこで本発明は、オープンシールド工法や開削工法に比べて少ない労力で地表面の沈下の影響を受けなくすることができる地下構造物構築方法を提供することを目的とする。
【課題を解決するための手段】
【０００６】
本発明は、構築する地下構造物の上方の地表面に、地表面よりも深く且つ構築する地下構造物の上面よりも浅い深さにその底面が達する穴を掘削する地表面掘削工程と、地表面掘削工程で掘削された穴の底面の下方の地中に、穴の底面よりも深い深さに地下構造物の上面が位置するように、地下構造物を構築する地下構造物構築工程と、地表面掘削工程で掘削された穴の領域の内で、地下構造物構築工程で穴の底面の下方の地中に地下構造物を構築された領域を埋め戻す埋戻工程とを備えた地下構造物構築方法である。
【０００７】
この構成によれば、地表面掘削工程で、構築する地下構造物の上方の地表面に、地表面よりも深く且つ構築する地下構造物の上面よりも浅い深さにその底面が達する浅い穴が掘削されるため、構築する地下構造物に達する深い穴を掘削するオープンシールド工法や開削工法に比べて穴を掘削する労力を低減することができる。また、地下構造物構築工程で、地表面掘削工程で掘削された穴の底面の下方の地中に、穴の底面よりも深い深さに地下構造物の上面が位置するように、地下構造物が構築され、埋戻工程で、地表面掘削工程で掘削された穴の領域の内で、地下構造物構築工程で穴の底面の下方の地中に地下構造物を構築された領域が埋め戻されるため、地下構造物の構築に伴い、地表面掘削工程で掘削された穴の底面が沈下したとしても、埋戻工程で埋め戻され、地下構造物の構築に伴う地表面の沈下の影響を受けなくすることができる。また、埋戻工程では、地表面掘削工程で掘削された浅い穴を埋め戻すため、オープンシールド工法や開削工法に比べて穴を埋め戻す労力を低減することができる。そのため、オープンシールド工法や開削工法に比べて少ない労力で地表面の沈下の影響を受けなくすることができる。
【０００８】
この場合、地下構造物構築工程では、地表面掘削工程で掘削された穴の底面の下方の地中に、矩形状の横断面を有する坑道を掘進することにより、地下構造物を構築してもよい。
【０００９】
この構成によれば、地下構造物構築工程では、地表面掘削工程で掘削された穴の底面の下方の地中に、矩形状の横断面を有する坑道を掘進することにより、地下構造物が構築される。矩形状の横断面を有する坑道を掘進すると、切羽の上方の地表面掘削工程で掘削された穴の底面が沈下し易いが、地表面掘削工程で掘削された穴の底面が沈下したとしても、埋戻工程で埋め戻されるため、沈下の影響を受けなくすることができる。
【００１０】
この場合、地下構造物構築工程では、坑道をシールドマシンにより掘進し、シールドマシンの前端のカッタービットによって、矩形状の横断面を有する坑道を掘削し、カッタービットの後方に連結されたシールドマシンのスキンプレートによって、カッタービットにより掘削された坑道の壁面を矩形状に保持し、スキンプレート内に配置されたシールドマシンのエレクタによって、カッタービットにより掘削された坑道の壁面に矩形状の横断面をなすようにプレキャスト部材を設置することが好適である。
【００１１】
この構成によれば、地下構造物構築工程では、坑道をシールドマシンにより掘進し、シールドマシンの前端のカッタービットによって、矩形状の横断面を有する坑道を掘削し、カッタービットの後方に連結されたシールドマシンのスキンプレートによって、カッタービットにより掘削された坑道の壁面を矩形状に保持し、スキンプレート内に配置されたシールドマシンのエレクタによって、カッタービットにより掘削された坑道の壁面に矩形状の横断面をなすようにプレキャスト部材を設置するため、矩形状の横断面を有する坑道を効率良く構築することができる。
【００１２】
この場合、地下構造物構築工程の前に、地表面掘削工程で掘削される穴の領域の地盤を改良する地盤改良工程をさらに備えることが好適である。
【００１３】
この構成によれば、地下構造物構築工程の前に、地盤改良工程で、地表面掘削工程で掘削される穴の領域の地盤が改良されるため、地下構造物構築工程で地下構造物を構築することが容易となる。
【００１４】
この場合、地盤改良工程では、地表面掘削工程で掘削される穴の領域であって、地下構造物構築工程で構築される地下構造物の下面の下方の深さの地盤を改良することが好適である。
【００１５】
この構成によれば、地表面掘削工程で掘削される穴の領域であって、地下構造物構築工程で構築される地下構造物の下面の下方の深さの地盤が改良されるため、地下構造物構築工程で地下構造物を構築することがさらに容易となる。
【００１６】
この場合、地盤改良工程では、地表面掘削工程で掘削される穴の領域を挟み、その下端が不透水層に達するように一対の土留壁を構築し、地下構造物構築工程では、地盤改良工程で構築された土留壁の下端よりも浅い深さに地下構造物の下面が位置するように、地下構造物を構築することが好適である。
【００１７】
この構成によれば、地盤改良工程では、地表面掘削工程で掘削される穴の領域を挟み、その下端が不透水層に達するように一対の土留壁が構築され、地下構造物構築工程では、地盤改良工程で構築された土留壁の下端よりも浅い深さに地下構造物の下面が位置するように、地下構造物が構築されるため、不透水層の地下水の影響を受けない深さに地下構造物を構築でき、地下構造物構築工程で地下構造物を構築することがさらに容易となる。
【００１８】
この場合、地下構造物構築工程では、坑道を開放型のシールドマシンにより掘進することが好適である。
【００１９】
この構成によれば、その下端が不透水層に達する土留壁により不透水層の地下水の影響を受けないため、開放型のシールドマシンを使用することにより、坑道の切羽は土圧を保持しない開放型となり、地下構造物構築工程で地下構造物を構築することがさらに容易となる。
【００２０】
また、地表面掘削工程で掘削され、埋戻工程で埋め戻される前の穴を覆う覆工板を設置する覆工板設置工程と、埋戻工程の前に、覆工板設置工程で設置された覆工板を撤去する覆工板撤去工程とをさらに備えることが好適である。
【００２１】
この構成によれば、覆工板設置工程で、地表面掘削工程で掘削され、埋戻工程で埋め戻される前の穴を覆う覆工板が設置され、覆工板撤去工程で、覆工板設置工程で設置された覆工板が撤去されるため、埋戻工程で穴が埋め戻される前に、穴の上方を人間や車両が通行することが可能となる。
【発明の効果】
【００２２】
本発明の地下構造物構築方法によれば、オープンシールド工法や開削工法に比べて少ない労力で地表面の沈下の影響を受けなくすることができる。
【図面の簡単な説明】
【００２３】
【図１】坑道を掘進する手前側からの断面視における地盤改良工程で構築された土留壁を示す図である。
【図２】（Ａ）は坑道を掘進する手前側からの断面視における地表面掘削工程で掘削された穴を示す図であり、（Ｂ）は（Ａ）のＢ‐Ｂ線による断面視である。
【図３】（Ａ）は坑道を掘進する手前側からの断面視における覆工板設置工程で設置された覆工板を示す図であり、（Ｂ）は（Ａ）のＢ‐Ｂ線による断面視である。
【図４】（Ａ）は坑道を掘進する手前側からの断面視における地盤改良工程で構築された先行地中梁と底盤改良部とを示す図であり、（Ｂ）は（Ａ）のＢ‐Ｂ線による断面視である。
【図５】（Ａ）は坑道を掘進する手前側からの断面視における地下構造物構築工程で坑道をシールドマシンにより掘進することにより構築された地下構造物を示す図であり、（Ｂ）は（Ａ）のＢ‐Ｂ線による断面視である。
【図６】坑道の進行方向に平行な視点におけるシールドマシンのエレクタを示す図である。
【図７】（Ａ）は坑道を掘進する手前側からの断面視における覆工板撤去工程で覆工板を撤去された穴を示す図であり、（Ｂ）は（Ａ）のＢ‐Ｂ線による断面視である。
【図８】（Ａ）は坑道を掘進する手前側からの断面視における埋戻工程により穴を埋め戻された地表面を示す図であり、（Ｂ）は（Ａ）のＢ‐Ｂ線による断面視である。
【発明を実施するための形態】
【００２４】
以下、本発明の実施形態に係る地下構造物構築方法について、図面を用いて詳細に説明する。以下の例では、地中にプレキャスト部材であるボックスカルバートを用いて、地中に地下道、地下水道、トンネル、地下室等の地下構造物を構築する方法について説明する。
【００２５】
図１に示すように、本実施形態の地下構造物構築方法では、地表面１の下方に、破線で示す上面２及び下面３を有する地下構造物を構築する地下構造物構築工程が行われる。また、後述するように、本実施形態の地下構造物構築方法では、地下構造物構築工程の前に、構築する地下構造物の上方の地表面１に、地表面１よりも深く且つ構築する地下構造物の上面２よりも浅い深さにその底面が達する穴を掘削する地表面掘削工程が行われる。
【００２６】
本実施形態の地下構造物構築方法では、必要に応じて、地下構造物構築工程の前に、地表面掘削工程で掘削される穴の領域７ａの地盤を改良する地盤改良工程が行われる。なお、穴の領域７ａとは、例えば、平面視における地表面１に穴が掘削される範囲を意味する。地盤改良工程では、例えば、地表面掘削工程で掘削される穴の領域７ａであって、地下構造物構築工程で構築される地下構造物の下面３の下方の深さの地盤が改良される。
【００２７】
さらに具体的には、図１で示すように、地盤改良工程では、地表面掘削工程で掘削される穴の領域７ａを挟み、その下端６ｂが不透水層５に達するように一対の土留壁６が構築される。土留壁６の下端６ｂは、不透水層５の不透水層上面４及び構築される地下構造物の下面３よりも下方の深さに達している。なお、地盤改良工程における土留壁６の構築は必要に応じて行うことができ、必須ではない。
【００２８】
図２（Ａ）及び図２（Ｂ）に示すように、構築する地下構造物の上方の地表面１に、地表面１よりも深く且つ構築する地下構造物の上面２よりも浅い深さにその底面８が達する穴７を掘削する地表面掘削工程が行われる。地表面掘削工程で掘削される穴７の深さは任意であるが、後述するように、穴７を覆う覆工板を設置する覆工板設置工程が行われる場合には、例えば、覆工桁及び覆工板を設置することが可能な深さの穴７が掘削される。
【００２９】
後述するように、本実施形態の地下構造物構築方法では、地表面掘削工程で掘削された穴７の領域７ａの内で、地下構造物を構築された領域７ａを埋め戻す埋戻工程が行われる。図３（Ａ）及び図３（Ｂ）に示すように、本実施形態の地下構造物構築方法では、必要に応じて、地表面掘削工程で掘削され、埋戻工程で埋め戻される前の穴７を覆う覆工板１０を設置する覆工板設置工程が行われる。覆工板１０は、覆工桁９を介して穴７を覆うように設置される。また、一対の土留壁６には、必要に応じて、腹起１１及び切架１２が設置される。なお、覆工板設置工程は必要に応じて行うことができ、必須ではない。また、本実施形態の地下構造物構築方法では、オープンシールド工法や開削工法に比べて深い穴７を掘削する必要はないため、腹起１１及び切架１２の設置も必要に応じて行うことができ、必須ではない。
【００３０】
図４（Ａ）及び図４（Ｂ）に示すように、地下構造物構築工程の前に、シールドマシンを導入するための立坑１３が掘削される。なお、地表面１から直接にシールドマシンを地下に導入することが可能な場合は、立坑１３の掘削を必須ではない。
【００３１】
図５（Ａ）及び図５（Ｂ）に示すように、地表面掘削工程で掘削された穴７の底面８の下方の地中に、穴７の底面８よりも深い深さに地下構造物の上面２が位置するように、地下構造物２２を構築する地下構造物構築工程が行われる。本実施形態では、地下構造物構築工程では、地表面掘削工程で掘削された穴７の底面８の下方の地中に、矩形状の横断面を有する坑道２１を掘進することにより、地下構造物２２が構築される。また、地下構造物構築工程では、地盤改良工程で構築された土留壁６の下端６ｂよりも浅い深さに地下構造物２２の下面３が位置するように、地下構造物２２が構築される。
【００３２】
さらに具体的には、地下構造物構築工程では、坑道２１はシールドマシン１６により掘進される。シールドマシン１６は、カッタービット１７、スキンプレート１８及びエレクタ１９を有する。地下構造物構築工程では、シールドマシン１６の前端のカッタービット１７によって、矩形状の横断面を有する坑道２１が掘削される。また、カッタービット１７の後方に連結されたシールドマシン１６のスキンプレート１８によって、カッタービット１７により掘削された坑道２１の壁面が矩形状に保持される。また、スキンプレート１８内に配置されたシールドマシン１６のエレクタ１９によって、カッタービット１７により掘削された坑道２１の壁面に矩形状の横断面をなすようにプレキャスト部材２０が設置される。
【００３３】
図６に示すように、エレクタ１９は、複数個のセグメントに分割されたプレキャスト部材２０をその横断面が矩形状をなすように設置する。なお、本実施形態では、坑道２１の壁面にプレキャスト部材２０を設置することにより、坑道２１の掘進及び地下構造物２２の構築が行われるが、坑道２１及び地下構造物２２の一部及び全体のいずれかが、場所打ち工法により構築されてもよい。
【００３４】
また、地下構造物構築工程では、坑道２１を開放型のシールドマシン１６により掘進する。したがって、坑道２１の切羽は土圧を保持しない開放型となる。なお、地盤改良工程で土留壁６が構築されない場合や、土留壁６の下端６ｂが不透水層５の不透水層上面４に達していない場合には、必要に応じて密閉式のシールドマシン１６を適用してもよい。
【００３５】
矩形状の横断面を有する坑道２１を掘削するために、シールドマシン１６は、例えば、１本の回転軸周りに回転し、且つ当該回転軸からのカッターの先端の距離を坑道２１の横断面の外周に合せて伸縮自在なカッタービット１７を有する。また、矩形状の横断面を有する坑道２１を掘削するために、シールドマシン１６は、例えば、回転式ではなく、左右に搖動する複数の掘削アームが水平に配置された搖動型のカッタービット１７であって、カッタービット１７の上部が独立して坑道２１の切羽の上部を先行して掘削するカッタービット１７を有する。なお、矩形状の横断面を有する坑道２１とは、例えば、長方形や正方形の角部に角面取りや丸面取りがなされた形状も含まれる。また、シールドマシンは、油圧ショベル等により掘削する半機械堀り式シールドであってもよい。
【００３６】
図７に示すように、埋戻工程の前に、覆工板設置工程で設置された覆工板１０を撤去する覆工板撤去工程が行われる。覆工板撤去工程では、覆工板１０の撤去に合せて覆工桁９の撤去も行われる。また、腹起１１及び切架１２の撤去も行われる。
【００３７】
図８に示すように、地表面掘削工程で掘削された穴７の領域７ａの内で、地下構造物構築工程で穴７の底面８の下方の地中に地下構造物２２を構築された領域２２ａを埋め戻す埋戻工程が行われる。地下構造物２２を構築された領域２２ａとは、例えば、地表面掘削工程で掘削された穴７の領域７ａの内で、坑道２１の掘進が終了した区間又は坑道２１の壁面へのプレキャスト部材２０の設置が終了した区間を意味する。また、坑道２１が場所打ち工法により構築されている場合には、地表面掘削工程で掘削された穴７の領域７ａの内で、場所打ち工法による坑道２１の構築が終了した区間を意味する。
【００３８】
本実施形態では、地表面掘削工程で、構築する地下構造物２２の上方の地表面１に、地表面１よりも深く且つ構築する地下構造物２２の上面２よりも浅い深さにその底面８が達する浅い穴７が掘削されるため、構築する地下構造物２２に達する深い穴を掘削するオープンシールド工法や開削工法に比べて穴７を掘削する労力及び時間を低減することができる。つまり、開削工法では、深い穴を掘削するため、掘削に多大の労力を要する。また、開削工法では、深い穴を掘削するため、多数の腹起及び切架等の支保工を架設する必要がある。しかし、本実施形態では、浅い穴７が掘削されるため、穴７の掘削の労力が少なく、多数の腹起及び切架等の支保工を架設する必要が無い。
【００３９】
また、地下構造物構築工程で、地表面掘削工程で掘削された穴７の底面８の下方の地中に、穴７の底面８よりも深い深さに地下構造物２２の上面２が位置するように、地下構造物２２が構築され、埋戻工程で、地表面掘削工程で掘削された穴７の領域７ａの内で、地下構造物構築工程で穴７の底面８の下方の地中に地下構造物２２を構築された領域２２ａが埋め戻されるため、地下構造物２２の構築に伴い、地表面掘削工程で掘削された穴７の底面８が沈下したとしても、埋戻工程で埋め戻され、地下構造物２２の構築に伴う地表面１の沈下の影響を受けなくすることができる。また、埋戻工程では、地表面掘削工程で掘削された浅い穴７を埋め戻すため、オープンシールド工法や開削工法に比べて穴を埋め戻す労力を低減することができる。例えば、埋戻しのために調達が必要な土砂の量を受けなくすることができる。そのため、オープンシールド工法や開削工法に比べて少ない労力で地表面１の沈下の影響を受けなくすることができる。
【００４０】
また、本実施形態によれば、地下構造物構築工程では、地表面掘削工程で掘削された穴７の底面８の下方の地中に、矩形状の横断面を有する坑道２１を掘進することにより、地下構造物２２が構築される。矩形状の横断面を有する坑道２１を掘進すると、切羽の上方の地表面掘削工程で掘削された穴７の底面８が沈下し易いが、地表面掘削工程で掘削された穴７の底面８が沈下したとしても、埋戻工程で埋め戻されるため、沈下の影響を受けなくすることができる。
【００４１】
また、本実施形態によれば、地下構造物構築工程では、坑道２１をシールドマシン１６により掘進し、シールドマシン１６の前端のカッタービット１７によって、矩形状の横断面を有する坑道２１を掘削し、カッタービット１７の後方に連結されたシールドマシン１６のスキンプレート１８によって、カッタービット１７により掘削された坑道２１の壁面を矩形状に保持し、スキンプレート１８内に配置されたシールドマシン１６のエレクタ１９によって、カッタービット１７により掘削された坑道２１の壁面に矩形状の横断面をなすようにプレキャスト部材２０を設置するため、矩形状の横断面を有する坑道２１を効率良く構築することができる。
【００４２】
開削工法では、ボックスカルバート等の矩形状のプレキャスト部材を適用しようとすると、プレキャスト部材の投入に切架が障害となる。また、函体推進工法では、函体の製作ヤードが地下に必要となり、函体の推進に伴う反力が大きい。しかし、本実施形態では、シールドマシン１６のエレクタ１９によってプレキャスト部材２０を設置するため、切架１２による障害が少なく、函体の製作ヤードや函体の推進に伴う反力への対策も必要が無い。なお、本実施形態において、シールドマシン１６のエレクタ１９によってプレキャスト部材２０を設置しなくとも、本実施形態では、切架１２の数が少ないため、切架１２による障害は少ない。また、本実施形態において、函体推進工法を適用してもよい。
【００４３】
また、本実施形態では、地下構造物構築工程の前に、地盤改良工程で、地表面掘削工程で掘削される穴７の領域７ａの地盤が改良されるため、地下構造物構築工程で地下構造物２２を構築することが容易となる。
【００４４】
また、本実施形態では、地表面掘削工程で掘削される穴７の領域７ａであって、地下構造物構築工程で構築される地下構造物２２の下面３の下方の深さの地盤が改良されるため、地下構造物構築工程で地下構造物２２を構築することがさらに容易となる。
【００４５】
また、本実施形態によれば、地盤改良工程では、地表面掘削工程で掘削される穴７の領域７ａを挟み、その下端６ｂが不透水層５に達するように一対の土留壁６が構築され、地下構造物構築工程では、地盤改良工程で構築された土留壁６の下端６ｂよりも浅い深さに地下構造物２２の下面３が位置するように、地下構造物２２が構築されるため、不透水層５の地下水の影響を受けない深さに地下構造物２２を構築でき、地下構造物構築工程で地下構造物２２を構築することがさらに容易となる。
【００４６】
また、本実施形態によれば、その下端６ｂが不透水層５に達する土留壁６により不透水層５の地下水の影響を受けないため、開放型のシールドマシン１６を使用することにより、坑道２１の切羽は土圧を保持しない開放型となり、地下構造物構築工程で地下構造物２２を構築することがさらに容易となる。
【００４７】
また、本実施形態によれば、覆工板設置工程で、地表面掘削工程で掘削され、埋戻工程で埋め戻される前の穴７を覆う覆工板１０が設置され、覆工板撤去工程で、覆工板設置工程で設置された覆工板１０が撤去されるため、埋戻工程で穴７が埋め戻される前に、穴７の上方を人間や車両が通行することが可能となる。オープンシールド工法は、路面覆工が行われる場合には適用不可であるが、本実施形態の地下構造物構築方法では、路面覆工も可能である。
【００４８】
以上、本発明の実施形態について説明したが、本発明は上記実施形態に限定されることなく様々な形態で実施される。
【符号の説明】
【００４９】
１…地表面、２…上面、３…下面、４…不透水層上面、５…不透水層、６…土留壁、６ｂ…下端、７…穴、７ａ…領域、８…底面、９…覆工桁、１０…覆工板、１１…腹起、１２…切架、１３…立坑、１６…シールドマシン、１７…カッタービット、１８…スキンプレート、１９…エレクタ、２０…プレキャスト部材、２１…坑道、２２…地下構造物、２２ａ…領域。
【図１】
2018035623.tif 000003
【図２】
2018035623.tif 000004
【図３】
2018035623.tif 000005
【図４】
2018035623.tif 000006
【図５】
2018035623.tif 000007
【図６】
2018035623.tif 000008
【図７】
2018035623.tif 000009
【図８】
2018035623.tif 000010